【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
場所属性とランドマークを指定する、ユーザからの発話を表す信号を受信するステップと、
該指定された場所属性に基づいて複数の候補地の組を特定するステップと、
該指定されたランドマークに基づいて複数のランドマークの組を特定するステップと、
該複数のランドマークの組の中の各ランドマークに対して関係付けられたカーネル・モデルを生成し、前記カーネル・モデルの各々は３次元モデルを含み、該３次元モデルの地図上の中心が該カーネル・モデルに関係付けられたランドマークの位置にあるようなカーネル・モデルを生成するステップと、
各候補地におけるカーネル・モデルの振幅に基づいて前記複数の候補地をランク付けするステップと、
該ランク付けされた候補地に基づいて、ユーザに提示する場所を選択するステップと、
を含み、
少なくとも一つの候補地が複数のカーネル・モデルと対応付けられ、かつ、
前記少なくとも一つの候補地は、前記複数のカーネル・モデルの該少なくとも一つの候補地における振幅の合計に基づいてランク付けされる
ことを特徴とする、場所を決定するコンピュータ・ベースの方法。
【請求項２】
前記発話を表す信号が、指定された場所属性を表す場所属性テキストと指定されたランドマークを表すランドマーク・テキストとを含むテキストに変換される
ことを特徴とする請求項１に記載の方法。
【請求項３】
前記候補地の組を特定するステップは、指定された場所属性を表わす候補地の組を特定するための意味論的思考追跡を実行するステップを含む
ことを特徴とする請求項１に記載の方法。
【請求項４】
前記意味論的思考追跡が複数の対話の繰り返しにわたって行われる
ことを特徴とする請求項３に記載の方法。
【請求項５】
さらに、各候補地が指定された場所属性を表わす確度を示す、各候補地に関係付けられた信頼度スコアを決定するステップを含む
ことを特徴とする請求項１に記載の方法。
【請求項６】
さらに、各ランドマークが指定されたランドマークを表す確度を示す、各ランドマークに関係付けられた信頼度スコアを決定するステップを含む
ことを特徴とする請求項１に記載の方法。
【請求項７】
少なくとも１つのカーネル・モデルは円形の基底部を有し、該カーネル・モデルの振幅は該関係付けられたランドマークの地図上の位置において最大であり、かつ、該関係付けられたランドマークの位置からの距離の増加に伴い該カーネル・モデルの振幅がガウス曲線に従って減衰する
ことを特徴とする請求項１に記載の方法。
【請求項８】
少なくとも１つのカーネル・モデルの基底部の形状が、該カーネル・モデルに関係付けられたランドマークのタイプに基づいている
ことを特徴とする請求項１に記載の方法。
【請求項９】
少なくとも１つのカーネル・モデルの基底部の形状が、地図上の該カーネル・モデルに関係付けられたランドマークの空間における境界の形状に基づいている
ことを特徴とする請求項１に記載の方法。
【請求項１０】
少なくとも１つのカーネル・モデルの振幅が、該カーネル・モデルに関係付けられたランドマークの信頼度スコアに基づいている
ことを特徴とする請求項１に記載の方法。
【請求項１１】
少なくとも１つのカーネル・モデルの振幅が、該カーネル・モデルに関係付けられたランドマークの１つ又は複数の属性に基づいている
ことを特徴とする請求項１に記載の方法。
【請求項１２】
前記カーネル・モデルの振幅が、前記関係付けられたランドマークのタイプに基づいている
ことを特徴とする請求項１１に記載の方法。
【請求項１３】
前記カーネル・モデルの振幅が、前記ランドマークのタイプの認知度に基づいている
ことを特徴とする請求項１２に記載の方法。
【請求項１４】
前記カーネル・モデルの振幅が、前記関係付けられたランドマークに対応付けられた評価に基づいている
ことを特徴とする請求項１１に記載の方法。
【請求項１５】
前記発話を表す受信した信号がさらに方角を指定し、かつ、少なくともカーネル・モデルの前記振幅が該指定された方角に基づいている
ことを特徴とする請求項１に記載の方法。
【請求項１６】
前記発話を表す前記信号が、検索エンジン・ユーザ・インターフェイスにおいて検索エンジンによって受信され、かつ、さらに前記ランク付けされた候補地を検索結果として前記ユーザに、該検索エンジンのユーザインターフェースを介して提供するステップを含む
ことを特徴とする請求項１に記載の方法。
【請求項１７】
前記カーネル・モデルの振幅の合計に、前記少なくとも一つの候補地の信頼度スコアを乗算して、カーネル・モデルの振幅の補正された合計を生成するステップと、
該カーネル・モデルの振幅の補正された合計に基づいて、前記少なくとも一つの候補地をランク付けするステップと、をさらに含む
ことを特徴とする請求項１に記載の方法。
【請求項１８】
前記候補地を選択するステップが最高ランクの候補地を選択するステップを含む
ことを特徴とする請求項１に記載の方法。
【請求項１９】
場所属性とランドマークを指定した、ユーザからの発話を表す信号を受信して、
該指定された場所属性に基づいて複数の候補地の組を特定し、
該指定されたランドマークに基づいて複数のランドマークの組を特定し、
該複数のランドマークの組の中の各ランドマークに対して関係付けられたカーネル・モデルを生成し、かつ、前記カーネル・モデルの各々は３次元モデルを含み、該３次元モデルの地図上の中心が該カーネル・モデルに関係付けられたランドマークの位置にあるようなカーネル・モデルを生成し、
各候補地におけるカーネル・モデルの振幅に基づいて前記複数の候補地をランク付けし、かつ、
該ランク付けされた候補地に基づいて、該ユーザに提示する場所を選択し、
少なくとも一つの候補地が複数のカーネル・モデルと対応付けられ、かつ、
前記少なくとも一つの候補地は、前記複数のカーネル・モデルの該少なくとも一つの候補地における振幅の合計に基づいてランク付けされるように構成された、
実行可能なコンピュータ・プログラム・モジュールを含む非一時的なコンピュータ可読記憶媒体と、
該コンピュータ・プログラム・モジュールを実行するように構成されたプロセッサと、を含む
ことを特徴とする、ユーザに推薦する場所を決定するためのシステム。
【請求項２０】
前記実行可能なコンピュータ・プログラム・モジュールがさらに、
前記発話を表す信号を、指定された場所属性を表す場所属性テキストと指定されたランドマークを表すランドマーク・テキストとを含むテキストに変換するように構成されている
ことを特徴とする請求項１９に記載のシステム。
【請求項２１】
前記候補地の組の特定が、指定された場所属性を表わす候補地を特定するための意味論的思考追跡の実行を含む
ことを特徴とする請求項１９に記載のシステム。
【請求項２２】
前記実行可能なコンピュータ・プログラム・モジュールが、さらに、
各候補地が指定された場所属性を表わす確度を示す、該候補地に関係付けられた信頼度スコア、及び、各ランドマークが指定されたランドマークを表す確度を示す該ランドマークに関係付けられた信頼度スコアのうち、少なくとも1つを決定するように構成されている
ことを特徴とする請求項１９に記載のシステム。
【請求項２３】
少なくとも１つのカーネル・モデルが円形の基底部を有し、該カーネル・モデルの振幅は関係付けられたランドマークの地図上の位置において最大であり、かつ、該関係付けられたランドマークの位置からの距離の増加に伴い該カーネル・モデルの振幅がガウス曲線に従って減衰する
ことを特徴とする請求項１９に記載のシステム。
【請求項２４】
少なくとも１つのカーネル・モデルの基底部の形状が、該カーネル・モデルに関係付けられたランドマークのタイプ、及び、地図上の該カーネル?モデルに関係付けられたランドマークの空間における境界の形状のうちの、少なくとも1つに基づいている
ことを特徴とする請求項１９に記載のシステム。
【請求項２５】
少なくとも１つのカーネル・モデルの前記振幅が、
該カーネル・モデルに関係付けられたランドマークの前記信頼度スコア、
該カーネル・モデルに関係付けられた該ランドマークの１つ又は複数の属性、
該関係付けられたランドマークのタイプ、及び、
該関係付けられたランドマークに関係付けられた評価のうちの、少なくとも１つに基づいている
ことを特徴とする請求項１９に記載のシステム。
【請求項２６】
前記発話を表す受信した信号がさらに方角を指定し、かつ、少なくともカーネル・モデルの前記振幅が該指定された方角に基づいている
ことを特徴とする請求項１９に記載のシステム。
【請求項２７】
前記カーネル・モデルの振幅の合計に、前記少なくとも一つの候補地の信頼度スコアを乗算して、カーネル・モデルの振幅の補正された合計を生成するステップと、
該カーネル・モデルの振幅の補正された合計に基づいて、前記少なくとも一つの候補地をランク付けするステップを実行するように構成される
ことを特徴とする請求項１９に記載のシステム。
【請求項２８】
前記候補地の選択が最高ランクの候補地を選択するステップを含む
ことを特徴とする請求項１９に記載のシステム。
【手続補正２】
【補正対象書類名】明細書
【補正対象項目名】００６３
【補正方法】変更
【補正の内容】
【００６３】
図５は、１実施形態による、ユーザに推薦するために場所を選択する処理を示している。ステップ５００で、場所属性とランドマークを指定するユーザからの発話が受信される。
図５は、一実施形態による、ユーザに推薦するために場所を選択する処理を示している。ステップ５００で、場所属性とランドマークを指定するユーザからの発話が受信される。例えば、車両のランドマーク・ナビゲーション・システムのユーザは、「ダウンタウン近くの公園」又は「ワシントン通りのステーキ・ハウス」と言って、道案内や店舗情報を該ランドマーク・ナビゲーション・システムから受けとろうとする。
【手続補正３】
【補正対象書類名】図面
【補正対象項目名】図５
【補正方法】変更
【補正の内容】
【図５】
2015524096.tif 000001